(57)【要約】【課題】  被制御装置内に存在する複数の機能のうちのいずれか１つの機能しか認識及び制御できない制御装置に対して、任意の機能を認識させて制御させる。【解決手段】  複数のサブユニットのそれぞれに対応したSUBUNIT INFOレスポンス変更キーＡ３及びSUBUNIT INFOレスポンス変更キーＢ４を設け、この変更キーＡ、Ｂによって、ＩＥＥＥ１３９４制御装置から受信するＡＶ／Ｃコマンドセットで定義されたSUBUNIT INFOコマンドへの応答（SUBUNIT INFOレスポンス）の内容を変更できるようにする。SUBUNIT INFOレスポンスは、各変更キーＡ、Ｂの押下によって、対応するサブユニットが先頭に記載されるようになり、SUBUNIT INFOレスポンスの先頭しか認識しない制御機器に対して、所望のサブユニットがSUBUNIT INFOレスポンスの先頭に記載された応答を返すことが可能となる。【選択図】  図１
2005039555.tif 000002
【特許請求の範囲】
【請求項１】
複数の動作を行い、制御装置によって前記複数の動作のそれぞれの制御が行われる被制御装置であって、
前記複数の動作のそれぞれに対応する複数の機能部と、
所定の通信方式によって、前記制御装置と通信を行うことを可能とする通信インターフェイスと、
前記通信インターフェイスを介して前記制御装置から受信する所定の情報への応答として送信すべき応答情報の内容を記憶するための記憶手段と、
ユーザが前記複数の機能部のうちのいずれか１つの機能部を指定するための機能指定手段と、
前記機能指定手段で指定された機能部に応じて、前記記憶手段に記憶される前記内容の変更を行う情報変更手段と、
前記通信インターフェイスを介して、前記制御装置から前記所定の情報を受信した場合に、前記記憶手段に記憶されている前記内容に従って、前記制御装置に前記応答情報を送信する応答手段とを、
有する被制御装置。
【発明の詳細な説明】
【技術分野】
【０００１】
本発明は、複数の動作を行い、制御装置（制御機器）によって複数の動作のそれぞれの制御が行われる被制御装置（被制御機器）に関し、特に、ＩＥＥＥ（Institute Electrical and Electronic Engineers）１３９４規格のシリアルバスに接続され、１３９４ Trade Association規格において、サブユニット（Subunit）として規定される複数の機能部を備えた被制御装置（被制御機器）に関する。
【背景技術】
【０００２】
ＩＥＥＥ１３９４などのネットワークに接続された機器をリモートで制御するためのコマンドとして、１３９４ Trade Association規格によってＡＶ／Ｃコマンドセット（AV/C Digital Interface Command Set）が規定されている。ＡＶ／Ｃコマンドセットでは、機器そのものを表す「Unit（ユニット）」という概念と、機器の機能を表す「Subunit（サブユニット）」という概念が規定されている。
【０００３】
例えば、ビデオデッキ（ＶＣＲ：Video Cassette Recorder）では、図８に示すように、機器そのものである「VCR Unit（ＶＣＲユニット）」が、放送波を受信する機能を有する「Tuner Subunit（チューナサブユニット）」と、受信した映像音声を記録再生する機能を有する「Tape recorder/player subunit（テープレコーダ／プレーヤサブユニット）」とによって構成されていると考えられる。
【０００４】
また、ＡＶ／Ｃコマンドセットのコマンドには、ユニットに向けて発行されるコマンドと、サブユニットに向けて発行されるコマンドとが存在する。制御機器（コントローラ）がＡＶ／Ｃコマンドによって制御を行う被制御機器（ターゲット）のサブユニット構成を把握する場合、制御機器は、SUBUNIT INFO status command（以下、SUBUNIT INFOコマンドと呼ぶ）を被制御機器のユニットに向けて発行し、その被制御機器からの応答であるSUBUNIT INFO status command response（以下、SUBUNIT INFOレスポンスと呼ぶ）を受信する。このSUBUNIT INFOレスポンスには被制御機器のサブユニット構成が記載されている。
【０００５】
例えば、前述のＶＣＲがSUBUNIT INFOコマンドを受けた場合には、図９に示すようなサブユニットのリストを含むSUBUNIT INFOレスポンスを返すこととなる。なお、Subunit_Typeは、ユニットに含まれるサブユニットの種類を示すものであり、max_subunit_IDは、ユニットに含まれる所定のSubunit_Typeに属するサブユニットのsubunit_IDの最大値を示すものである。各サブユニットには、subunit_IDが整数で０から昇順に付与されており、例えば、max_subunit_IDが０の場合には、同一のSubunit_Typeに属する機能が１つ含まれ、max_subunit_IDが１の場合には、同一のSubunit_Typeに属する機能が２つ含まれていることが分かる。このように、ユニットに含まれるサブユニットは、Subunit_Typeとsubunit_IDとによって特定される。
【０００６】
また、ＡＶ／Ｃコマンドセットによって、制御機器が前述のＶＣＲに対して再生開始制御を行う場合には、Subunit_Typeが「Tape recorder／player subunit」、Subunit_IDが０のサブユニットに対して、ＰＬＡＹコマンド（再生コマンド）を発行することになる。
【０００７】
一方、従来から、ＩＥＥＥ１３９４などのネットワークに接続される制御機器及び被制御機器の制御条件に関連して、様々な技術が提案されている。例えば、下記の特許文献１には、被制御機器（ユニット）が複数の被制御部分（サブユニット）を備え、さらに、複数の制御機器が存在する場合でも、被制御機器が、各制御機器の識別情報と各被制御部分の識別情報とを対応付けて記憶することによって、適正な制御動作が行われるようにする技術が開示されている。
【０００８】
また、下記の特許文献２には、制御機器のアプリケーションが被制御機器のSubunit_Typeに対応していない場合でも、可能な範囲で被制御機器を複数のSubunit_Typeに対応させ、制御機器から被制御機器に対して、被制御機器が対応するSubunit_Typeの情報が伝えられて、制御機器のアプリケーションに対応しているSubunit_Typeに被制御機器を設定する技術が開示されている。
【特許文献１】特開２００２−６４８８４号公報
【特許文献２】特開２００２−３１５０７７号公報
【発明の開示】
【発明が解決しようとする課題】
【０００９】
ところで、例えば、前述のＶＣＲは、放送波を受信する機能や、受信した映像音声を記録再生する機能などの複数の機能を備えている。しかしながら、ＡＶ／Ｃコマンドを用いて他の機器を制御する制御機器から、ＶＣＲの放送波を受信する機能を制御したいというユーザの要求はあまり考えられない。そのため、ＶＣＲの実装として、映像音声を記録再生する機能のみがサブユニットとして対応付けられている場合が多い。すなわち、例えば、「Tuner subunit（チューナサブユニット）」が存在するにも関わらず、図１０に示すように映像音声を記録再生する機能に係るサブユニットのみが設定されているＶＣＲも存在する。この場合には、ＶＣＲは、図１１に示すようなSUBUNIT INFOレスポンスを送出する。このため、制御機器によっては、SUBUNIT INFOレスポンスの先頭以外のサブユニットを認識せず（無視し）、制御を行わないような実装となっている場合もある。
【００１０】
しかしながら、このような制御機器は、例えば、受信した映像音声を記録再生する機能が独立して複数存在するような複合機（例えば、図１２に示すＤＶＤ−ＲＡＭ（Digital Versatile Disc-Random Access Memory）とＤ−ＶＨＳ（Digital-Video Home System）の複合機）などに関しては、どちらか一方の記録再生機能しか制御できず、他方の記録再生機能は制御不可能であるという課題が生じる。すなわち、図１２に示すＤＶＤ−ＲＡＭとＤ−ＶＨＳの複合機は、チューナ機能のほかに、ＤＶＤ−ＲＡＭ記録再生機能とＤ−ＶＨＳ記録再生機能とを有しており、サブユニットとして映像音声を記録再生する機能しか対応付けられていない場合には、図１３に示すサブユニット構成を有することとなる。
【００１１】
この場合、この複合機は、例えば、図２に示すようなSUBUNIT INFOレスポンスを送出する。こうした複合機を被制御機器として制御する場合、SUBUNIT INFOレスポンスの先頭以外のサブユニットを認識せずに制御を行わない実装となっている制御機器からは、ＡＶ／Ｃコマンドセットによって「Disc subunit」を制御することはできるが、「Tape recorder/player subunit」を制御することはできないという課題がある。
【００１２】
本発明は、上記課題に鑑みて、被制御装置内に存在する複数の機能のうちのいずれか１つの機能しか認識及び制御できない制御装置に対して、任意の機能を認識させて制御させることが可能な被制御装置を提供することを目的とする。
【課題を解決するための手段】
【００１３】
上記目的を達成するため、本発明では、複数の動作を行い、制御装置によって前記複数の動作のそれぞれの制御が行われる被制御装置であって、
前記複数の動作のそれぞれに対応する複数の機能部と、
所定の通信方式によって、前記制御装置と通信を行うことを可能とする通信インターフェイスと、
前記通信インターフェイスを介して前記制御装置から受信する所定の情報への応答として送信すべき応答情報の内容を記憶するための記憶手段と、
ユーザが前記複数の機能部のうちのいずれか１つの機能部を指定するための機能指定手段と、
前記機能指定手段で指定された機能部に応じて、前記記憶手段に記憶される前記内容の変更を行う情報変更手段と、
前記通信インターフェイスを介して、前記制御装置から前記所定の情報を受信した場合に、前記記憶手段に記憶されている前記内容に従って、前記制御装置に前記応答情報を送信する応答手段とを、
有する被制御装置が提供される。
【発明の効果】
【００１４】
本発明によれば、複数の動作を行い、制御装置によって前記複数の動作のそれぞれの制御が行われる被制御装置であって、前記複数の動作のそれぞれに対応する複数の機能部と、所定の通信方式によって、前記制御装置と通信を行うことを可能とする通信インターフェイスと、前記通信インターフェイスを介して前記制御装置から受信する所定の情報への応答として送信すべき応答情報の内容を記憶するための記憶手段と、ユーザが前記複数の機能部のうちのいずれか１つの機能部を指定するための機能指定手段と、前記機能指定手段で指定された機能部に応じて、前記記憶手段に記憶される前記内容の変更を行う情報変更手段と、前記通信インターフェイスを介して、前記制御装置から前記所定の情報を受信した場合に、前記記憶手段に記憶されている前記内容に従って、前記制御装置に前記応答情報を送信する応答手段とを有する被制御装置が提供されるので、被制御装置内に存在する複数の機能のうちのいずれか１つの機能しか認識及び制御できない制御装置に対して、被制御装置内の任意の機能を認識させて制御させることが可能となる。
【発明を実施するための最良の形態】
【００１５】
以下、図面を参照しながら、本発明の実施の形態について説明する。図１は、本発明の実施の形態における被制御機器の構成を示すブロック図である。図１に示す被制御機器１２は、ＤＶＤ−ＲＡＭとＤ−ＶＨＳの複合機であり、ＤＶＤ−ＲＡＭ記録再生機構１、Ｄ−ＶＨＳ記録再生機構２、SUBUNIT INFOレスポンス内容変更キーＡ３、SUBUNIT INFOレスポンス内容変更キーＢ４、SUBUNIT INFOレスポンス内容記憶部５、１３９４ＡＶ／Ｃコマンド処理制御部６を有している。
【００１６】
ＤＶＤ−ＲＡＭ記録再生機構１は、ＤＶＤ−ＲＡＭディスクに映像音声を記録再生する機能を有しており、「Disc subunit」のサブユニットを実現する。また、Ｄ−ＶＨＳ記録再生機構２は、Ｄ−ＶＨＳカセットに映像音声を記録再生する機能を有しており、「Tape recorder/player subunit」のサブユニットを実現する。
【００１７】
また、SUBUNIT INFOレスポンス内容変更キーＡ３は、ユーザが、SUBUNIT INFOレスポンス内容を変更する際に操作するキーであり、SUBUNIT INFOレスポンス内容変更キーＡ３を押すと、SUBUNIT INFOレスポンス内容記憶部５に記憶されているSUBUNIT INFOレスポンスの内容が、図２に示すSUBUNIT INFOレスポンスの内容に変更される。また、SUBUNIT INFOレスポンス内容変更キーＢ４は、ユーザが、SUBUNIT INFOレスポンス内容を変更する際に操作するキーであり、SUBUNIT INFOレスポンス内容変更キーＢ４を押すと、SUBUNIT INFOレスポンス内容記憶部５に記憶されているSUBUNIT INFOレスポンスの内容が、図３に示すSUBUNIT INFOレスポンスの内容に変更される。
【００１８】
なお、SUBUNIT INFOレスポンス内容変更キーＡ３及びSUBUNIT INFOレスポンス内容変更キーＢ４は、被制御機器１２の操作パネルや、リモコンの操作キーに割り当てられるものである。また、本実施の形態では、被制御機器１２としてＤＶＤ−ＲＡＭとＤ−ＶＨＳの複合機を一例としているため、それぞれの機能に対応した２つのSUBUNIT INFOレスポンス内容変更キーが設けられているが、より多くの機能を有する場合には、更に多くの各機能に対応したSUBUNIT INFOレスポンス内容変更キーを設けることも可能である。
【００１９】
また、SUBUNIT INFOレスポンス内容変更キーＡ３とSUBUNIT INFOレスポンス内容変更キーＢ４とを１つのSUBUNIT INFOレスポンス内容変更キーによって実現し、このSUBUNIT INFOレスポンス内容変更キーの押下によって、SUBUNIT INFOレスポンス内容記憶部５に記憶されているSUBUNIT INFOレスポンスの内容が、図２及び図３に示すSUBUNIT INFOレスポンスの内容に交互に切り換わるようにすることも可能である。また、この場合も、更に多くの機能が設けられている場合に対応可能である。
【００２０】
また、SUBUNIT INFOレスポンス内容記憶部５は、図２や図３に示すようなSUBUNIT INFOレスポンスの内容を記憶する装置であり、SUBUNIT INFOレスポンスの内容はSUBUNIT INFOレスポンス内容変更キーＡ３及びSUBUNIT INFOレスポンス内容変更キーＢ４の押下により変更される。
【００２１】
また、１３９４ＡＶ／Ｃコマンド処理制御部６は、ＩＥＥＥ１３９４シリアルバス１０に接続され、同一のＩＥＥＥ１３９４シリアルバス１０に接続された他のＩＥＥＥ１３９４制御機器から、ＡＶ／Ｃコマンドセットを受信する。また、１３９４ＡＶ／Ｃコマンド処理制御部６は、受信したＡＶ／Ｃコマンドセットの内容に従い、ＤＶＤ−ＲＡＭ記録再生機構１及びＤ−ＶＨＳ記録再生機構２の動作を制御する。また、１３９４ＡＶ／Ｃコマンド処理制御部６は、SUBUNIT INFOコマンドを受信した際には、SUBUNIT INFOレスポンス内容記憶部５に記憶されている内容に基づき、SUBUNIT INFOコマンドの送信元（制御機器）に向けて、SUBUNIT INFOレスポンスを送信する。
【００２２】
次に、図４に示すように、図１に示す被制御機器１２と、被制御機器１２を制御対象とするデジタルテレビ（以下、ＤＴＶと呼ぶ）１１とが、ＩＥＥＥ１３９４シリアルバス１０を介して接続されている構成において、ＤＴＶ１１側でのユーザの操作により、被制御機器１２内のＤＶＤ−ＲＡＭ記録再生機構１及びＤ−ＶＨＳ記録再生機構２を任意に制御する場合の動作について説明する。
【００２３】
なお、ＤＴＶ１１は制御機器であり、ＩＥＥＥ１３９４シリアルバスに接続された各ＩＥＥＥ１３９４機器のサブユニット構成を把握するために、SUBUNIT INFOコマンドを各ＩＥＥＥ１３９４機器に送信し、SUBUNIT INFOレスポンスを受信できるものとする。ただし、ＤＴＶ１１は、受信したSUBUNIT INFOレスポンスに含まれるサブユニットのリストの最初のサブユニットのみを認識し、それ以外のサブユニットの制御を行わないものとする。また、ＤＴＶ１１は、ＡＶ／Ｃコマンドセットによって、「Disc subunit」及び「Tape recorder/player subunit」の両方のサブユニットを制御する能力を有するものとする。
【００２４】
以下、図５を参照しながら、制御機器及び被制御機器の処理動作の流れについて説明する。図５は、本発明の実施の形態における制御機器及び被制御機器の動作を示すシーケンスチャートである。なお、それぞれＤＶＤ−ＲＡＭ記録再生機構１のディスク挿入箇所及びＤ−ＶＨＳ記録再生機構２のカセットテープ挿入箇所には、それぞれＤＶＤ−ＲＡＭディスク及びＤ−ＶＨＳカセットテープが挿入されており、ＤＶＤ−ＲＡＭ記録再生機構１及びＤ−ＶＨＳ記録再生機構２は、動作可能な状態になっているものとする。
【００２５】
まず、ユーザは、被制御機器１２のSUBUNIT INFOレスポンス内容変更キーＡ３又はSUBUNIT INFOレスポンス内容変更キーＢ４を押下して、所望の記録再生機構が制御対象として設定されるようにSUBUNIT INFOレスポンスの内容を変更する（ステップＳ１）。なお、SUBUNIT INFOレスポンスの内容は、被制御機器１２に接続されたモニタや所定の報知手段によって表示又は報知され、ユーザがその内容を変更されたSUBUNIT INFOレスポンスの内容を把握できるようにすることが好ましい。
【００２６】
例えば、ユーザがＤＴＶ１１から被制御機器１２のＤＶＤ−ＲＡＭ記録再生機構１を制御する場合には、SUBUNIT INFOレスポンス内容変更キーＡ３を押し、SUBUNIT INFOレスポンス内容記憶部５の内容を変更する。この場合には、SUBUNIT INFOレスポンス内容記憶部５に記憶されるSUBUNIT INFOレスポンスの内容は、図２の状態に変更される。一方、ユーザがＤＴＶ１１から被制御機器１２のＤ−ＶＨＳ記録再生機構２を制御する場合には、SUBUNIT INFOレスポンス内容変更キーＢ４を押し、SUBUNIT INFOレスポンス内容記憶部５の内容を変更する。この場合には、SUBUNIT INFOレスポンス内容記憶部５に記憶されるSUBUNIT INFOレスポンスの内容は、図３の状態に変更される。
【００２７】
一方、ＤＴＶ１１側において、ユーザのリモコン操作によって、例えば、ＩＥＥＥ１３９４シリアルバス１０に接続されている機器に対する機器制御画面の表示指示が行われると（ステップＳ２）、ＤＴＶ１１から被制御機器１２に対して、SUBUNIT INFOコマンドが送信される（ステップＳ３）。
【００２８】
被制御機器１２は、ＤＴＶ１１からのSUBUNIT INFOコマンドを受信し、SUBUNIT INFOレスポンス内容記憶部５に記憶されている内容に基づいて、SUBUNIT INFOコマンドの応答として、SUBUNIT INFOレスポンスをＤＴＶ１１に対して送信する（ステップＳ４）。
【００２９】
ＤＴＶ１１は、被制御機器１２からのSUBUNIT INFOレスポンスを受信し、SUBUNIT INFOレスポンスに含まれるサブユニットのリストの最初のサブユニットのみを認識し（ステップＳ５）、被制御機器１２をサブユニットのリストの最初のサブユニットのみで構成されるＩＥＥＥ１３９４機器とみなす。そして、ＤＴＶ１１は、ステップＳ５で認識したサブユニットに対応した機器制御画面をモニタ上に表示する（ステップＳ６）。
【００３０】
例えば、図２に示すSUBUNIT INFOレスポンスを受信した場合には、被制御機器１２を「Disc subunit」のみから構成されるＩＥＥＥ１３９４機器と認識し、図６に示すようなDisc subunit用の機器制御画面をＤＴＶ１１のモニタ上に表示する。また、図３に示すSUBUNIT INFOレスポンスを受信した場合には、被制御機器１２を「Tape recorder/player subunit」のみから構成されるＩＥＥＥ１３９４機器と認識し、図７に示すようなTape recorder/player subunit用機器制御画面をＤＴＶ１１のモニタ上に表示する。
【００３１】
その後、ユーザが、ＤＴＶ１１の機器制御画面を参照しながら、リモコンなどによって所定の操作を行った場合（ステップＳ７）、ＤＴＶ１１から、被制御機器１２内のＤＴＶ１１によって認識されたサブユニットに対して、所定の操作に対応した各種ＡＶ／Ｃコマンドセットが送信される（ステップＳ８）。
【００３２】
被制御機器１２は、このＡＶ／Ｃコマンドセットを受信すると、ＡＶ／Ｃコマンドセットによって指定されたサブユニットに対して所定の制御を行う（ステップＳ９）。すなわち、そのＡＶ／Ｃコマンドセットが、「Disc subunit」に対するものである場合にはＤＶＤ−ＲＡＭ記録再生機構１を制御し、「Tape recorder/player subunit」に対するものである場合にはＤ−ＶＨＳ記録再生機構２を制御する。
【００３３】
なお、上記の説明では、本発明がＩＥＥＥ１３９４規格に適用された場合を一例として説明したが、本発明を他の通信規格や他の通信方式に適用することも可能である。ただし、本発明は、特に、ＩＥＥＥ１３９４規格において、SUBUNIT INFOレスポンスに含まれるサブユニットのリストの最初のサブユニットしか認識できないＩＥＥＥ１３９４制御機器に対して、ＩＥＥＥ１３９４被制御機器内の複数のサブユニットのうちの任意のサブユニットを認識及び制御させることが可能なＩＥＥＥ１３９４被制御機器として有用である。
【００３４】
すなわち、本発明をＩＥＥＥ１３９４規格に特化させた場合、
複数の動作を行い、ＩＥＥＥ１３９４制御装置によって前記複数の動作のそれぞれの制御を行うことが可能なＩＥＥＥ１３９４被制御装置であって、
前記複数の動作のそれぞれに対応し、１３９４ Trade Association規格においてサブユニットとして規定される複数の機能部と、
ＩＥＥＥ１３９４に準拠した通信方式によって、前記ＩＥＥＥ１３９４制御装置と通信を行うことを可能とするＩＥＥＥ１３９４インターフェイスと、
前記ＩＥＥＥ１３９４インターフェイスを介して前記ＩＥＥＥ１３９４制御装置から受信するＡＶ／Ｃコマンドセットで定義されたSUBUNIT INFO status commandへの応答として送信すべきSUBUNIT INFO status command responseの内容を記憶するための記憶手段と、
ユーザが前記複数の機能部のうちのいずれか１つの機能部を指定するための機能指定手段と、
前記機能指定手段で指定された機能部に応じて、前記記憶手段に記憶される前記内容の変更を行う情報変更手段と、
前記ＩＥＥＥ１３９４インターフェイスを介して、前記ＩＥＥＥ１３９４制御装置から前記SUBUNIT INFO status commandを受信した場合に、前記記憶手段に記憶されている前記内容に従って、前記ＩＥＥＥ１３９４制御装置に前記SUBUNIT INFO status command responseを送信する応答手段とを、
有するＩＥＥＥ１３９４被制御装置が提供される。
【図面の簡単な説明】
【００３５】
【図１】本発明の実施の形態における被制御機器の構成を示すブロック図である。
【図２】本発明の実施の形態におけるSUBUNIT INFOレスポンスの内容の一例を示す図である。
【図３】本発明の実施の形態におけるSUBUNIT INFOレスポンスの内容の別の一例を示す図である。
【図４】本発明の実施の形態における被制御機器とＤＴＶ（制御機器）とがＩＥＥＥ１３９４シリアルバスによって接続された状態を示すネットワーク構成図である。
【図５】本発明の実施の形態における制御機器及び被制御機器の動作を示すシーケンスチャートである。
【図６】本発明の実施の形態におけるＤＴＶのモニタ上に表示されるDisc subunit用の機器制御画面の一例である。
【図７】本発明の実施の形態におけるＤＴＶのモニタ上に表示されるTape recorder/player subunit用の機器制御画面の一例である。
【図８】従来の技術に係る「Tuner Subunit」と「Tape recorder/player subunit」とを有するＶＣＲユニットのサブユニット構成を示す図である。
【図９】図８に示すＶＣＲユニットが送信するSUBUNIT INFOレスポンスの内容の一例を示す図である。
【図１０】従来の技術に係る「Tape recorder/player subunit」のみがサブユニットとして設定されているＶＣＲユニットのサブユニット構成を示す図である。
【図１１】図１０に示すＶＣＲユニットが送信するSUBUNIT INFOレスポンスの内容の一例を示す図である。
【図１２】従来の技術に係るＤＶＤ−ＲＡＭとＤ−ＶＨＳの複合機の内部機構構成を示す図である。
【図１３】図１２に示す複合機のサブユニット構成を示す図である。
【符号の説明】
【００３６】
１  ＤＶＤ−ＲＡＭ記録再生機構（機能部）
２  Ｄ−ＶＨＳ記録再生機構（機能部）
３  SUBUNIT INFOレスポンス内容変更キーＡ（機能指定手段）
４  SUBUNIT INFOレスポンス内容変更キーＢ（機能指定手段）
５  SUBUNIT INFOレスポンス内容記憶部（記憶手段）
６  １３９４ＡＶ／Ｃコマンド処理制御部（通信インターフェイス、情報変更手段、応答手段）
１０  ＩＥＥＥ１３９４シリアルバス
１１  ＤＴＶ（コントローラ、制御機器）
１２  ＤＶＤ−ＲＡＭ／Ｄ−ＶＨＳ複合機（ターゲット、被制御機器）
【図１】
2005039555.tif 000003
【図２】
2005039555.tif 000004
【図３】
2005039555.tif 000005
【図４】
2005039555.tif 000006
【図５】
2005039555.tif 000007
【図６】
2005039555.tif 000008
【図７】
2005039555.tif 000009
【図８】
2005039555.tif 000010
【図９】
2005039555.tif 000011
【図１０】
2005039555.tif 000012
【図１１】
2005039555.tif 000013
【図１２】
2005039555.tif 000014
【図１３】
2005039555.tif 000015